(57)【特許請求の範囲】
【請求項１】
インバータ装置本体部と、
前記インバータ装置本体部を覆う筐体と、
前記筐体に取り付けられ、前記インバータ装置本体部を操作する操作部と、
前記操作部が配置される前記筐体の部分と、前記操作部との間に挟まれるシール部材と、を備え、
前記筐体は、複数の異なる配置方向に配置可能に構成されており、
前記操作部は、前記筐体の配置方向に応じて取り付け方向を所定の角度回動させて取り付け可能に構成されており、
前記筐体および前記操作部の少なくとも一方には、前記シール部材を位置決めする位置決め部が設けられている、インバータ装置。
【請求項２】
前記操作部は、前記操作部を前記筐体に取り付けるための複数の取付部を有し、
前記複数の取付部は、前記操作部の外周縁近傍に配置されている、請求項１に記載のインバータ装置。
【請求項３】
前記操作部は、前記操作部の操作面に対して垂直な方向から見て、略正方形形状、または、略円形状を有している、請求項１または２に記載のインバータ装置。
【請求項４】
前記操作部は、前記インバータ装置本体部を操作する押しボタンを含む、請求項１〜３のいずれか１項に記載のインバータ装置。
【請求項５】
前記筐体は、前記操作部が嵌め込まれる第１開口部が設けられており、
前記シール部材は、前記操作部と前記第１開口部の外周縁近傍の間に設けられる枠状のガスケットを含み、
前記第１開口部の外周縁近傍には、前記筐体の外側に突出する複数のボス部が設けられており、
前記ガスケットには、前記ボス部が貫通する孔部が設けられている、請求項１〜４のいずれか１項に記載のインバータ装置。
【請求項６】
前記操作部は、前記操作部を前記筐体に取り付けるための複数の取付部を有し、
前記複数のボス部には、前記複数の取付部を介して締結部材が締結される締結孔部が設けられている、請求項５に記載のインバータ装置。
【請求項７】
前記第１開口部の外周縁近傍には、第１リブ部が設けられており、
前記ガスケットは、前記第１リブ部に前記枠状のガスケットが位置決めされるように構成されている、請求項５または６に記載のインバータ装置。
【請求項８】
前記第１リブ部は、前記第１開口部の外周縁近傍に沿って前記第１開口部の開口端面に周状に突出するように設けられている、請求項７に記載のインバータ装置。
【請求項９】
前記筐体には、前記操作部が嵌め込まれる第１開口部が設けられており、
前記第１開口部の内側面には、前記第１開口部の中央部側に突出する第２リブ部が設けられている、請求項１〜８のいずれか１項に記載のインバータ装置。
【請求項１０】
前記操作部と、前記インバータ装置本体部とは、前記操作部の回動に伴って回動する配線により接続されている、請求項１〜９のいずれか１項に記載のインバータ装置。
【請求項１１】
前記操作部は、操作部本体部と、前記操作部本体部を取り囲むように設けられ、前記操作部本体部を支持する枠状の支持部とを含み、
前記操作部本体部は、前記枠状の支持部に係合する第１係合部を有し、
前記枠状の支持部は、前記操作部本体部の前記第１係合部に係合する第２係合部を有する、請求項１〜１０のいずれか１項に記載のインバータ装置。
【請求項１２】
前記枠状の支持部は、鋼板により構成されているとともに、前記枠状の支持部の表面に略直交するように切り起こされた切り起こし部を含み、
前記枠状の支持部の前記第２係合部は、前記切り起こし部に設けられている切り起こし部側孔部を含み、
前記操作部本体部の前記第１係合部は、前記切り起こし部側孔部に係合する爪部を含む、請求項１１に記載のインバータ装置。
【請求項１３】
前記操作部は、略円筒形状を有し、
前記筐体には、前記略円筒形状の操作部が嵌め込まれ、前記操作部の操作面に対して垂直な方向から見て略円形状の凹部が設けられており、
前記略円筒形状の操作部には、複数の取付部が設けられており、
前記略円形状の凹部には、周方向に沿って、前記取付部が取り付けられる複数の被取付部が設けられている、請求項１〜４のいずれか１項に記載のインバータ装置。
【請求項１４】
前記被取付部は、前記操作部側に突出し、周方向の一方側に開口が設けられ、かつ、周方向の他方側に壁部が設けられており、
前記略円筒形状の操作部を、前記操作面に対して垂直な方向に延びる中心線を軸として、一方向に回動させることにより、前記取付部を前記被取付部の開口から挿入し、前記取付部を前記壁部に当接させることで、前記被取付部と前記取付部とを係合する、請求項１３に記載のインバータ装置。
【請求項１５】
前記被取付部は、前記開口から前記壁部に向かって狭くなるように形成されており、
前記取付部を前記被取付部の開口から挿入し、前記壁部側に移動させることにより、前記取付部を前記壁部に当接させて、前記被取付部と前記取付部とを係合するように構成されている、請求項１４に記載のインバータ装置。
【請求項１６】
前記操作部と前記凹部との間に配置される略円環形状の中間部材をさらに備え、
前記中間部材の表面上には、前記操作面に対して垂直な方向から見て、前記複数の取付部に対応する位置に配置される複数の第３係合部が設けられており、
前記操作部には、前記被取付部と前記取付部とが係合した状態で、前記複数の第３係合部のうちのいずれかに係合する第４係合部が設けられている、請求項１３〜１５のいずれか１項に記載のインバータ装置。
【請求項１７】
前記凹部の中央部には第２開口部が設けられており、
前記中間部材は、前記凹部の底面部の裏面側において、前記第２開口部の周縁部に係合する第５係合部を有する、請求項１６に記載のインバータ装置。
【請求項１８】
前記凹部の前記第２開口部の周縁部に前記中間部材の第５係合部が係合した状態で、前記操作部の前記複数の取付部を前記中間部材の表面側から前記中間部材の裏面側に通過可能にするように、前記略円環形状の中間部材には、前記操作面に対して垂直な方向から見て、前記複数の取付部に対応する位置に配置される複数の切欠きが設けられている、請求項１７に記載のインバータ装置。
【請求項１９】
前記略円筒形状の操作部の前記凹部側の外周縁近傍には、周方向に沿って延びる周状の溝部が設けられており、
前記シール部材は、前記被取付部と前記取付部とが係合した状態で、前記操作部の前記溝部と前記凹部との間に配置される、請求項１３〜１８のいずれか１項に記載のインバータ装置。
【請求項２０】
前記筐体は、前記操作部の操作面に対して垂直な方向から見て、略長方形形状を有し、前記操作面側に複数の冷却フィンが設けられている、請求項１〜１９のいずれか１項に記載のインバータ装置。
【発明の詳細な説明】
【技術分野】
【０００１】
この発明は、インバータ装置に関し、特に、筐体にインバータ装置本体部を操作する操作部が取り付けられているインバータ装置に関する。
【背景技術】
【０００２】
従来、筐体にインバータ装置本体部を操作する操作部が取り付けられているインバータ装置が知られている（たとえば、特許文献１参照）。
【０００３】
上記特許文献１には、インバータ装置本体部と、インバータ装置本体部の動作状態を操作・表示する操作パネル部とを備えるインバータ装置が開示されている。このインバータ装置では、操作パネル部は、インバータ装置本体部を覆う本体ケースに取り付けられている。また、操作パネル部は、略長方形形状を有する。
【０００４】
具体的には、操作パネル部は、操作パネル底板と、操作パネル基板と、操作パネルケースとを有している。操作パネル基板には、固定的に配置された柱状の操作パネル側コネクタが設けられている。また、本体ケースの内部（インバータ装置本体部）には、固定的に配置された柱状の本体側コネクタが設けられている。そして、操作パネル底板に設けられた孔部を介して、操作パネル基板の操作パネル側コネクタと、本体側コネクタとを接続する。これにより、操作パネル基板と本体ケースとの間に操作パネル底板が挟み込まれることにより、操作パネル底板が本体ケースに対して固定されている。また、操作パネル底板が本体ケースに対して固定された状態で、操作パネル基板を覆うように、操作パネル底板に操作パネルケースが取り付けられる。
【先行技術文献】
【特許文献】
【０００５】
【特許文献１】特開２０００−１７５４５９号公報
【発明の概要】
【発明が解決しようとする課題】
【０００６】
しかしながら、上記特許文献１に記載されたインバータ装置では、操作パネル基板の固定的に配置された柱状の操作パネル側コネクタと、本体ケースの内部（インバータ装置本体部）の固定的に配置された柱状の本体側コネクタとが接続されている。このため、本体ケースに対する操作パネル部の取り付け方向が、固定された一定の方向であると考えられる。その結果、インバータ装置の配置方向を変更した場合（たとえば、縦置き（縦方向配置）と横置き（横方向配置）との間で配置方向を変更した場合）には、インバータ装置の配置方向の変更に伴って操作パネル基板（操作パネル部）の配置方向も変更されてしまう。このため、操作パネル部に対するユーザの操作が困難になるという問題点がある。
【０００７】
この発明は、上記のような課題を解決するためになされたものであり、この発明の１つの目的は、配置方向が変更された場合でも、操作部の操作が困難になるのを抑制することが可能なインバータ装置を提供することである。
【課題を解決するための手段】
【０００８】
上記目的を達成するために、この発明の一の局面によるインバータ装置は、インバータ装置本体部と、インバータ装置本体部を覆う筐体と、筐体に取り付けられ、インバータ装置本体部を操作する操作部と、操作部が配置される筐体の部分と、操作部との間に挟まれるシール部材と、を備え、筐体は、複数の異なる配置方向に配置可能に構成されており、操作部は、筐体の配置方向に応じて取り付け方向を所定の角度回動させて取り付け可能に構成されており、筐体および操作部の少なくとも一方には、シール部材を位置決めする位置決め部が設けられている。
【０００９】
この発明の一の局面によるインバータ装置では、上記のように、操作部を、筐体の配置方向に応じて、取り付け方向を所定の角度回動させて取り付け可能に構成する。これにより、たとえば、縦置き（縦方向配置）から横置き（横方向配置）に、インバータ装置の配置方向が変更された場合でも、ユーザにとって操作部が操作しやすい方向に、操作部を所定の角度回動させて取り付けることができる。その結果、インバータ装置の配置方向が変更された場合でも、操作部の操作が困難になるのを抑制することができる。
【００１０】
上記一の局面によるインバータ装置において、好ましくは、操作部は、操作部を筐体に取り付けるための複数の取付部を有し、複数の取付部は、操作部の外周縁近傍に配置されている。このように構成すれば、操作部を９０度（または、１８０度、２７０度）回動させた場合でも、複数の取付部のそれぞれと操作部の中心との距離を容易に略一定にすることができる。これにより、容易に、操作部を９０度（または、１８０度、２７０度）回動させて取り付けることができる。
【００１１】
上記一の局面によるインバータ装置において、好ましくは、操作部は、操作部の操作面に対して垂直な方向から見て、略正方形形状、または、略円形状を有している。このように構成すれば、複数の取付部のそれぞれと操作部の中心との距離をさらに容易に略一定にすることができる。
【００１２】
上記一の局面によるインバータ装置において、好ましくは、操作部は、インバータ装置本体部を操作する押しボタンを含む。ここで、一般的に、押しボタンの表面には、操作内容を表す文字などが記載されている。そして、操作部の取り付け方向が固定されている場合、インバータ装置本体部の配置方向の変更に伴って、押しボタンの表面に記載された文字がユーザにとって読みにくい方向に向く可能性がある。そこで、操作部を、インバータ装置本体部の配置方向に応じて、筐体に対する取り付け方向を所定の角度回動させて取り付け可能に構成することによって、押しボタンに記載される文字をユーザが読みやすいように、操作部を取り付けることができる。
【００１３】
上記一の局面によるインバータ装置において、好ましくは、筐体は、操作部が嵌め込まれる第１開口部が設けられており、シール部材は、操作部と第１開口部の外周縁近傍部の間に設けられる枠状のガスケットを含み、第１開口部の外周縁近傍には、筐体の外側に突出する複数のボス部が設けられており、ガスケットには、ボス部が貫通する孔部が設けられている。このように構成すれば、ガスケットの移動を、ガスケットの孔部を貫通するボス部により規制しながら、操作部と筐体との間から異物が筐体内に侵入するのをガスケットにより抑制することができる。
【００１４】
この場合、好ましくは、操作部は、操作部を筐体に取り付けるための複数の取付部を有し、複数のボス部には、複数の取付部を介して締結部材が締結される複数の締結孔部が設けられている。このように構成すれば、ガスケットの移動を規制するためのボス部が、締結孔部を兼ねているので、インバータ装置の構成を簡略化することができる。
【００１５】
上記第１開口部の外周縁近傍にボス部が設けられているインバータ装置において、好ましくは、第１開口部の外周縁近傍には、第１リブ部が設けられており、ガスケットは、第１リブ部に枠状のガスケットが位置決めされるように構成されている。このように構成すれば、ガスケットの、第１開口部の中心側への移動を、容易に、第１リブ部により抑制することができる。
【００１６】
この場合、好ましくは、第１リブ部は、第１開口部の外周縁近傍に沿って第１開口部の開口端面に周状に突出するように設けられている。このように構成すれば、第１リブ部が開口部の外周縁近傍に部分的に設けられる場合と異なり、ガスケットの、第１開口部の中心側への移動を、より確実に抑制することができる。これにより、操作部と筐体との間から異物が筐体内に侵入するのをより確実に抑制することができる。
【００１７】
上記一の局面によるインバータ装置において、好ましくは、筐体には、操作部が嵌め込まれる第１開口部が設けられており、第１開口部の内側面には、第１開口部の中央部側に突出する第２リブ部が設けられている。このように構成すれば、ユーザが操作部を操作（押下）した場合に、操作部が筐体の内部に脱落するのを第２リブ部により防止することができる。また、操作部が第２リブ部に支持されるので、安定した状態で、操作部を操作することができる。すなわち、操作部の操作性（操作感）を向上させることができる。
【００１８】
上記一の局面によるインバータ装置において、好ましくは、操作部と、インバータ装置本体部とは、操作部の回動に伴って回動する配線により接続されている。このように構成すれば、操作部とインバータ装置本体部との接続を維持した状態で、操作部の筐体に対する取り付け方向を所定の角度回動させることができる。
【００１９】
上記一の局面によるインバータ装置において、好ましくは、操作部は、操作部本体部と、操作部本体部を取り囲むように設けられ、操作部本体部を支持する枠状の支持部とを含み、操作部本体部は、枠状の支持部に係合する第１係合部を有し、枠状の支持部は、操作部本体部の第１係合部に係合する第２係合部を有する。このように構成すれば、操作部本体部が、所定の角度回動させて取り付け可能な形状でない場合でも、枠状の支持部を所定の角度回動させて取り付け可能な形状にすることにより、操作部を所定の角度回動させて取り付けることができる。
【００２０】
この場合、好ましくは、枠状の支持部は、鋼板により構成されているとともに、枠状の支持部の表面に略直交するように切り起こされた切り起こし部を含み、枠状の支持部の第２係合部は、切り起こし部に設けられている切り起こし部側孔部を含み、操作部本体部の第１係合部は、切り起こし部側孔部に係合する爪部を含む。このように構成すれば、枠状の支持部は、鋼板により構成されているので、操作部が樹脂などにより形成されている場合と比べて、操作部の機械的強度および耐環境性を向上させることができる。なお、耐環境性とは、耐候性、耐薬品性および蒸気減菌への耐性などである。また、枠状の支持部の第２係合部は、切り起こし部に設けられている切り起こし部側孔部を含み、操作部本体部の第１係合部は、切り起こし部側孔部に係合する爪部を含むことによって、容易に、操作部本体部を枠状の支持部に取り付けることができる。
【００２１】
上記一の局面によるインバータ装置において、好ましくは、操作部は、略円筒形状を有し、筐体には、略円筒形状の操作部が嵌め込まれ、操作部の操作面に対して垂直な方向から見て略円形状の凹部が設けられており、略円筒形状の操作部には、複数の取付部が設けられており、略円形状の凹部には、周方向に沿って、取付部が取り付けられる複数の被取付部が設けられている。このように構成すれば、周方向に沿って、複数の被取付部が設けられていることによって、取付部を被取付部から取り外すとともに略円筒形状の操作部を回動させた場合、操作部の取付部は、回動前とは異なる被取付部に取り付けられる。これにより、インバータ装置の配置方向が変更された場合でも、操作部の向きをユーザの操作に適した向きに容易に変更することができる。また、操作部が略円筒形状を有していることによって、操作部が矩形形状を有している場合よりも、ユーザは容易に操作部を回動させることができる。
【００２２】
この場合、好ましくは、被取付部は、操作部側に突出し、周方向の一方側に開口が設けられ、かつ、周方向の他方側に壁部が設けられており、略円筒形状の操作部を、操作面に対して垂直な方向に延びる中心線を軸として、一方向に回動させることにより、取付部を被取付部の開口から挿入し、取付部を壁部に当接させることで、被取付部と取付部とを係合する。このように構成すれば、被取付部の周方向の一方側に開口が設けられていることによって、被取付部の上方に開口が設けられている場合に比べて、取付部が被取付部の上方へ抜けるのを抑制することができる。また、壁部が設けられていることによって、操作部の周方向の壁部側への移動を規制することができる。
【００２３】
上記被取付部に壁部が設けられているインバータ装置において、好ましくは、被取付部は、開口から壁部に向かって狭くなるように形成されており、取付部を被取付部の開口から挿入し、壁部側に移動させることにより、取付部を壁部に当接させて、被取付部と取付部とを係合するように構成されている。このように構成すれば、被取付部が開口から壁部に向かって狭くなるように形成されていることによって、開口から取付部を容易に挿入させることができる。
【００２４】
上記操作部が略円筒形状を有するインバータ装置において、好ましくは、操作部と凹部との間に配置される略円環形状の中間部材をさらに備え、中間部材の表面上には、操作面に対して垂直な方向から見て、複数の取付部に対応する位置に配置される複数の第３係合部が設けられており、操作部には、被取付部と取付部とが係合した状態で、複数の第３係合部のうちのいずれかに係合する第４係合部が設けられている。このように構成すれば、被取付部と取付部とが係合した状態で、第４係合部と複数の第３係合部のうちのいずれかとが係合していることによって、インバータ装置の運転中の振動、または、ユーザの接触等により、操作部が回転するのを抑制することができる。
【００２５】
この場合、好ましくは、凹部の中央部には第２開口部が設けられており、中間部材は、凹部の底面部の裏面側において、第２開口部の周縁部に係合する第５係合部を有する。このように構成すれば、第５係合部により、中間部材を凹部の底面部に容易に固定することができる。
【００２６】
上記第５係合部を有する中間部材を備えるインバータ装置において、好ましくは、凹部の第２開口部の周縁部に中間部材の第５係合部が係合した状態で、操作部の複数の取付部を中間部材の表面側から中間部材の裏面側に通過可能にするように、略円環形状の中間部材には、操作面に対して垂直な方向から見て、複数の取付部に対応する位置に配置される複数の切欠きが設けられている。このように構成すれば、操作部を配置する際に、操作部の複数の取付部を通過させるための切欠きが設けられていることによって、操作部の取付部と中間部材とが干渉しないように操作部を大きくする必要がない。その結果、インバータ装置が大型化するのを抑制することができる。また、切欠きの配置位置を指標に操作部を配置させることができるので、操作部の配置作業を簡略化させることができる。
【００２７】
上記操作部が略円筒形状を有するインバータ装置において、好ましくは、略円筒形状の操作部の凹部側の外周縁近傍には、周方向に沿って延びる周状の溝部が設けられており、シール部材は、被取付部と取付部とが係合した状態で、操作部の溝部と凹部との間に配置される。このように構成すれば、操作部の溝部と凹部との間にシール部材が配置されていることによって、操作部に液体が侵入するのを効果的に抑制することができる。
【００２８】
上記一の局面によるインバータ装置において、好ましくは、筐体は、操作面に対して垂直な方向から見て、略長方形形状を有し、操作面側に複数の冷却フィンが設けられている。このように構成すれば、インバータ装置は、操作面が床または壁などに近接して対向するように配置されることがないので、冷却フィンからの冷却風の移動が床または壁などにより規制されるのを抑制することができる。これにより、冷却フィンによる冷却効率が低下するのを抑制することができる。
【発明の効果】
【００２９】
本発明によれば、上記のように、配置方向が変更された場合でも、操作部の操作が困難になるのを抑制することができる。
【図面の簡単な説明】
【００３０】
【図１】本発明の第１実施形態によるインバータ装置（水平置き配置）の斜視図である。
【図２】本発明の第１実施形態によるインバータ装置（水平置き配置）の操作部の正面図である。
【図３】本発明の第１実施形態によるインバータ装置を横置き配置した状態を示す図である。
【図４】本発明の第１実施形態によるインバータ装置を縦置き配置した状態を示す図である。
【図５】本発明の第１実施形態によるインバータ装置の操作部を取り外した状態を示す図（１）である。
【図６】本発明の第１実施形態によるインバータ装置の操作部を取り外した状態を示す図（２）である。
【図７】本発明の第１実施形態によるインバータ装置の操作部のＺ１方向側から見た分解斜視図である。
【図８】本発明の第１実施形態によるインバータ装置の操作部のＺ２方向側から見た分解斜視図である。
【図９】操作部本体部と支持部とを係合させる状態を示す図である。
【図１０】本発明の第２実施形態によるインバータ装置（水平置き配置）の斜視図である。
【図１１】本発明の第２実施形態によるインバータ装置を横置き配置した状態を示す図である。
【図１２】本発明の第２実施形態によるインバータ装置を縦置き配置した状態を示す図である。
【図１３】本発明の第２実施形態によるインバータ装置の操作部を取り外した状態を示す拡大斜視図である。
【図１４】本発明の第２実施形態によるインバータ装置の操作部のＺ１方向側から見た分解斜視図である。
【図１５】本発明の第２実施形態によるインバータ装置の操作部のキーパッドモールドの内部構成を示した斜視図である。
【図１６】本発明の第２実施形態によるインバータ装置の凹部の底面部のＺ１方向側から見た斜視図である。
【図１７】本発明の第２実施形態によるインバータ装置の凹部の収納部を径方向から見た拡大断面図である。
【図１８】本発明の第２実施形態によるインバータ装置の凹部の収納部を周方向から見た拡大断面図である。
【図１９】本発明の第２実施形態によるインバータ装置の中間部材のＺ１方向側から見た斜視図である。
【図２０】本発明の第２実施形態によるインバータ装置の操作部の内部構成を示した断面図である。
【図２１】本発明の第２実施形態によるインバータ装置のロック部の拡大断面図である。
【図２２】本発明の第２実施形態によるインバータ装置の中間部材のＺ２方向側から見た斜視図である。
【図２３】本発明の第２実施形態によるインバータ装置のフック部の拡大断面図である。
【図２４】本発明の第２実施形態によるインバータ装置の中間部材の平面図である。
【発明を実施するための形態】
【００３１】
以下、本発明を具体化した実施形態を図面に基づいて説明する。
【００３２】
図１を参照して、第１実施形態によるインバータ装置１００の構成について説明する。
【００３３】
［第１実施形態］
（インバータ装置の構成）
図１および図２に示すように、インバータ装置１００は、インバータ装置本体部１００ａを備えている。インバータ装置本体部１００ａは、図示しないコンバータ部およびインバータ部などを含む。
【００３４】
また、インバータ装置１００は、インバータ装置本体部１００ａを覆う筐体１０を備えている。筐体１０は、上側筐体１１と下側筐体１２とから構成されている。上側筐体１１および下側筐体１２は、箱形状を有している。そして、上側筐体１１と下側筐体１２とに囲まれた空間にインバータ装置本体部１００ａが配置されている。
【００３５】
ここで、第１実施形態では、筐体１０は、平面視において、略長方形形状を有する。そして、略長方形形状の筐体１０の長辺１０ａおよび短辺１０ｂに交差するように、複数の冷却フィン１３が設けられている。すなわち、複数の冷却フィン１３は、長辺１０ａおよび短辺１０ｂに対して直交しないように、かつ、長辺１０ａおよび短辺１０ｂに対して平行にならないように配置されている。具体的には、長辺１０ａおよび短辺１０ｂに略４５度の角度で交差するように形成されている。
【００３６】
また、複数の冷却フィン１３は、上側筐体１１の上方側（Ｚ１方向側）に配置されている。また、上側筐体１１は、たとえば、アルミニウム、銅などの熱伝導率の比較的高い金属により構成されている。また、複数の冷却フィン１３は、上側筐体１１に一体的に形成されている。一例として、複数の冷却フィン１３が一体的に形成されている上側筐体１１は、ダイカストにより形成されている。
【００３７】
また、インバータ装置１００は、筐体１０に取り付けられる操作部２０を備えている。操作部２０は、インバータ装置本体部１００ａを操作するように構成されている。なお、操作部２０は、上側筐体１１に取り付けられている。
【００３８】
ここで、第１実施形態では、図２に示すように、操作部２０は、押し下げすることによりインバータ装置本体部１００ａを操作する押しボタン２０ａを含んでいる。すなわち、押しボタン２０ａは、液晶パネル（タッチパネル）上に押しボタンが表示されるような仮想的な押しボタンではなく、実際にユーザが押しボタン２０ａを押し下げる物理的な押しボタンである。また、押しボタン２０ａの表面上には、押しボタン２０ａが押下されることにより操作される内容を表す文字（「ＲＵＮ」、「ＳＴＯＰ」など）が記載されている。また、操作部２０は、数字などが表示されるデジタル表示部２０ｂを含んでいる。なお、押しボタン２０ａおよびデジタル表示部２０ｂは、ユーザがボタン操作を行う操作面２０ｃに設けられている。なお、操作部２０は、上記のような構成に限らず、液晶パネル（タッチパネル）により、押しボタン２０ａ、デジタル表示部２０ｂを表示するようにしてもよい。
【００３９】
また、インバータ装置１００（インバータ装置本体部１００ａ）は、複数の異なる配置方向に配置可能に構成されている。たとえば、インバータ装置１００は、図１に示すように、操作部２０が上方側（Ｚ１方向側）を向いた状態で配置（水平置き配置）される。また、インバータ装置１００は、図３に示すように、操作部２０が左方側（Ｘ１方向側）に位置するように配置（横置き配置）される。また、インバータ装置１００は、図４に示すように、操作部２０が下方側（Ｚ２方向側）に位置するように配置（縦置き配置）される。なお、インバータ装置１００は、壁に掛けられた状態で、横置き配置および縦置き配置することも可能である。
【００４０】
ここで、第１実施形態では、操作部２０は、インバータ装置本体部１００ａの配置方向に応じて、筐体１０に対する取り付け方向を所定の角度回動させて取り付け可能に構成されている。具体的には、インバータ装置１００（インバータ装置本体部１００ａ）の水平置き配置、横置き配置、または、縦置き配置に応じて、ユーザが操作部２０を見やすい方向に、筐体１０に対する取り付け方向を所定の角度回動させて取り付け可能に操作部２０が構成されている。
【００４１】
たとえば、インバータ装置１００が、水平置き配置の場合、図２に示すように、押しボタン２０ａに記載されている文字が、Ｙ２方向側を上、Ｙ１方向側を下として表示されるように、操作部２０が筐体１０に取り付けられている。また、図３に示すように、インバータ装置１００が、横置き配置の場合、押しボタン２０ａに記載されている文字が、Ｚ１方向側を上、Ｚ２方向側を下として表示されるように、操作部２０が筐体１０に取り付けられている。なお、水平置き配置の場合（図１参照）と、横置き配置の場合（図３参照）とでは、筐体１０に対する操作部２０の取り付け方向は同じである。
【００４２】
また、インバータ装置１００が、図４に示すように、縦置き配置の場合、押しボタン２０ａに記載されている文字が、Ｚ１方向側を上、Ｚ２方向側を下として表示されるように、操作部２０が筐体１０に取り付けられている。縦置き配置の場合、操作部２０は、水平置き配置の場合（図１参照）および横置き配置の場合（図３参照）の筐体１０に対する操作部２０の取り付け方向に比べて、９０度回動されている。なお、以下の説明では、インバータ装置１００が水平置き配置されている場合について説明する。
【００４３】
ここで、第１実施形態では、図７に示すように、操作部２０は、操作部２０を筐体１０に取り付けるための複数の孔部２０ｄを有している。そして、複数の孔部２０ｄは、略正方形形状に配置されている。具体的には、図５に示すように、操作部２０は、平面視において、略正方形形状を有している。そして、複数の孔部２０ｄは、略正方形形状の操作部２０の４隅に配置されている。詳細には、孔部２０ｄは、ねじ部材３０が貫通する貫通孔からなる。そして、貫通孔からなる複数の孔部２０ｄを介して、ねじ部材３０が筐体１０の孔部１６ａ（図６参照）に締結（螺合）されることにより、操作部２０が筐体１０に取り付けられている。なお、孔部２０ｄは、特許請求の範囲の「取付部」の一例である。また、孔部１６ａは、特許請求の範囲の「締結孔部」の一例である。また、ねじ部材３０は、特許請求の範囲の「締結部材」の一例である。
【００４４】
なお、図６に示すように、筐体１０の孔部１６ａも、略正方形形状に配置されている複数の孔部２０ｄに対応するように、略正方形形状に配置されている。そして、複数の孔部２０ｄの各々の間隔Ｄ１（図７参照）と、複数の孔部１６ａの各々の間隔Ｄ２とは、略等しい。これにより、操作部２０は、筐体１０に対する取り付け方向を、Ｃ方向（図５参照）に、所定の角度（たとえば、９０度、１８０度、２７０度）回動させて取り付け可能に構成されている。なお、Ｃ方向とは、操作部２０の表面に垂直な方向（図５のＺ方向）を回転軸方向として操作部２０が回動する方向である。
【００４５】
また、図６に示すように、筐体１０には、操作部２０が嵌め込まれる開口部１１ａが設けられている。開口部１１ａの周縁部１１ｂは、Ｘ方向およびＹ方向に沿った直線状の４つの辺部１１１と、辺部１１１同士を接続する円弧部１１２とを含む。また、開口部１１ａは、筐体１０（上側筐体１１）に設けられるＺ１方向に突出する凸部１４に設けられている。つまり、凸部１４は、平面視において、枠状である。なお、開口部１１ａ、および、周縁部１１ｂは、それぞれ、特許請求の範囲の「第１開口部」および「第１開口部の外周縁近傍」の一例である。
【００４６】
ここで、第１実施形態では、図５に示すように、インバータ装置１００は、操作部２０と開口部１１ａの周縁部１１ｂ（図６参照）との間に設けられる枠状のガスケット１５を備えている。また、周縁部１１ｂ近傍には、筐体１０の外側（Ｚ１方向側）に突出する複数（第１実施形態では、４個）のボス部１６（図６参照）が設けられている。具体的には、４個のボス部１６は、枠状の凸部１４の４隅に設けられている。そして、ガスケット１５には、ボス部１６が貫通する孔部１５ａが設けられている。孔部１５ａは、枠状のガスケット１５の４隅にそれぞれ設けられている。そして、ガスケット１５の孔部１５ａにボス部１６が貫通することにより、ガスケット１５が位置決めされている。なお、ガスケット１５は、特許請求の範囲の「シール部材」の一例である。
【００４７】
また、第１実施形態では、図６に示すように、複数のボス部１６には、複数の孔部２０ｄ（図７参照）を介してねじ部材３０が締結される孔部１６ａが設けられている。すなわち、ボス部１６は、ガスケット１５の位置決めのためのボスと、操作部２０の取り付けのための孔部１６ａとを兼ねている。
【００４８】
また、図７に示すように、ねじ部材３０は、脱落防止ねじから構成されている。脱落防止ねじは、ねじ部分３０ａの根元側の直径が、先端側の直径よりも小さくなるように構成されている。これにより、ねじ部分３０ａの根元側と先端側との境界の段差部が、孔部２０ｄ（貫通孔の周縁）に引っかかり、脱落が防止される。
【００４９】
また、第１実施形態では、図６に示すように、開口部１１ａの周縁部１１ｂには、筐体１０の外側（Ｚ１方向側）に突出する第１リブ部１７が設けられている。具体的には、第１リブ部１７は、開口部１１ａの周縁部１１ｂに沿って開口部１１ａの開口端面に周状に突出するように（壁状に）設けられている。すなわち、第１リブ部１７は、開口部１１ａの全周に渡って形成されている。言い換えると、第１リブ部１７は、枠状の凸部１４の内周に、全周に渡って形成されている。そして、ガスケット１５は、第１リブ部１７に枠状のガスケット１５の内周面１５ｂ（図５および図６参照）が位置決めされるように構成されている。すなわち、第１リブ部１７とガスケット１５の内周面１５ｂとが当接されることにより、ガスケット１５の内周面１５ｂが位置決めされる。
【００５０】
また、第１実施形態では、図６に示すように、開口部１１ａの内側面１１３には、操作部２０が筐体１０の内部に脱落するのを防止するための第２リブ部１８が設けられている。第２リブ部１８は、開口部１１ａの中央部側に突出するように形成されている。また、第２リブ部１８は、枠状の凸部１４の４隅に対応する領域にそれぞれ設けられている。また、第２リブ部１８は、開口部１１ａの円弧部１１２に対応する領域（内側面１１３）に設けられており、円弧形状を有する。
【００５１】
また、第１実施形態では、図５に示すように、操作部２０と、インバータ装置本体部１００ａとは、操作部２０の回動に伴って回動する配線１９により接続されている。たとえば、配線１９は、回動（捻り）可能なケーブルから構成されている。これにより、操作部２０を、所定の角度回動させた場合でも、操作部２０とインバータ装置本体部１００ａとの接続を維持したまま、配線１９も回動される（捻られる）。すなわち、操作部２０とインバータ装置本体部１００ａとの接続を維持したまま、操作部２０を回動させて筐体１０に取り付けることが可能である。
【００５２】
（操作部の詳細な構成）
次に図７および図８を参照して、操作部２０の詳細な構成について説明する。
【００５３】
第１実施形態では、図７および図８に示すように、操作部２０は、操作部本体部２１と、操作部本体部２１を取り囲むように設けられ、操作部本体部２１を支持する枠状の支持部２２とを含む。そして、操作部本体部２１は、枠状の支持部２２に係合する爪部２１ａを有する。また、枠状の支持部２２は、操作部本体部２１の爪部２１ａに係合する孔部２２ａを有する。具体的には、枠状の支持部２２は、鋼板（たとえば、塗装鋼板、メッキ鋼板、ステンレス鋼板など）により構成されている。また、枠状の支持部２２は、枠状の支持部２２の表面２２ｂに略直交するように切り起こされた切り起こし部２２ｃを含む。そして、枠状の支持部２２の切り起こし部２２ｃに、孔部２２ａが設けられている。また、孔部２２ａは、略矩形形状を有する。なお、爪部２１ａは、特許請求の範囲の「第１係合部」の一例である。また、孔部２２ａは、特許請求の範囲の「第２係合部」および「切り起こし部側孔部」の一例である。
【００５４】
また、切り起こし部２２ｃは、枠状の支持部２２の対向する２つの辺部にそれぞれ（合計２個）設けられている。すなわち、孔部２２ａは、２個設けられている。また、操作部本体部２１の爪部２１ａは、２個の孔部２２ａに対応するように、操作部本体部２１の一方側と他方側とに設けられている。なお、爪部２１ａは、操作部本体部２１の一方側と他方側とに、それぞれ、２個ずつ設けられている。
【００５５】
また、上記した操作部２０の４個の孔部２０ｄは、枠状の支持部２２の４隅に設けられている。
【００５６】
操作部本体部２１は、平面視において、略長方形形状を有する。また、枠状の支持部２２は、平面視において、略正方形形状を有する。
【００５７】
また、操作部本体部２１は、キーパッド基板２１１と、キーパッド基板２１１を覆うプラスチックケース２１２とを含む。上記した爪部２１ａは、プラスチックケース２１２に設けられている。そして、プラスチックケース２１２の爪部２１ａと、切り起こし部２２ｃの孔部２２ａとが、スナップフィットにより係合することにより、プラスチックケース２１２（キーパッド基板２１１）が、支持部２２に固定される。なお、プラスチックケース２１２の、キーパッド基板２１１のキー２１１ａに対応する位置（部分）は、弾性変形可能に形成されている。また、キーパッド基板２１１のＺ２方向側には、配線１９が接続されるコネクタ２１１ｂ（図８参照）が設けられている。
【００５８】
また、支持部２２の操作部本体部２１が配置される側とは反対側（Ｚ１方向側）には、支持部２２の開口部２２ｄを覆うように、エンボス加工されているシート部材２３が設けられている。シート部材２３には、キーパッド基板２１１のキー２１１ａに対応する位置に、キー２１１ａが押下されることにより操作される内容の文字（「ＲＵＮ」、「ＳＴＯＰ」など）が記載されている。なお、シート部材２３、プラスチックケース２１２、および、キー２１１ａにより、押しボタン２０ａが構成されている。また、シート部材２３の４隅は切り欠かれている。また、シート部材２３が支持部２２に接着されることにより、枠状の支持部２２の開口部２２ｄから水などの異物が浸入するのを防止（防水）することが可能になる。
【００５９】
（操作部の組み立て方法および取付方法）
次に、図７〜図９を参照して、操作部２０の組み立て方法および取付方法について説明する。
【００６０】
まず、図７および図８に示すように、キーパッド基板２１１がプラスチックケース２１２に取り付けられる。具体的には、ねじ部材３１により、キーパッド基板２１１がプラスチックケース２１２に取り付けられる。また、支持部２２に、シート部材２３が接着される。なお、シート部材２３の４隅が切り欠かれているので、シート部材２３が被せられた状態で、支持部２２の孔部２０ｄは露出する。
【００６１】
次に、図９に示すように、キーパッド基板２１１を覆った状態のプラスチックケース２１２の爪部２１ａを、支持部２２の孔部２２ａにスナップフィットにより係合させる。これにより、操作部２０が形成される。また、操作部２０のコネクタ２１１ｂに配線１９（図５参照）が接続される。
【００６２】
そして、図５に示すように、操作部２０のコネクタ２１１ｂに配線１９が接続された状態で、操作部２０の孔部２０ｄを介して、ねじ部材３０を筐体１０の孔部１６ａに締結（螺合）する。この時、操作部２０（支持部２２）は、インバータ装置本体部１００ａの配置方向に応じて、筐体１０に対する取り付け方向を、Ｃ方向に所定の角度回動させて取り付けられる。すなわち、インバータ装置本体部１００ａの配置方向に応じて、ユーザが操作部２０を操作しやすい方向に操作部２０を回動させた状態で、操作部２０を筐体１０に取り付ける。
【００６３】
（第１実施形態の効果）
第１実施形態では、以下のような効果を得ることができる。
【００６４】
第１実施形態では、上記のように、操作部２０を、筐体１０の配置方向に応じて取り付け方向を所定の角度回動させて取り付け可能に構成する。これにより、たとえば、縦置き（縦方向配置）から横置き（横方向配置）に、インバータ装置１００の配置方向が変更された場合でも、ユーザにとって操作部２０が操作しやすい方向に、操作部２０を所定の角度回動させて取り付けることができる。その結果、インバータ装置１００の配置方向が変更された場合でも、操作部２０の操作が困難になるのを抑制することができる。
【００６５】
また、第１実施形態では、上記のように、複数の孔部２０ｄを、操作部２０の外周縁近傍に配置する。これにより、操作部２０を９０度（または、１８０度、２７０度）回動させた場合でも、複数の孔部２０ｄのそれぞれと操作部２０の中心との距離を容易に略一定にすることができる。その結果、容易に、操作部２０を９０度（または、１８０度、２７０度）回動させて取り付けることができる。
【００６６】
また、第１実施形態では、上記のように、複数の孔部２０ｄが、操作面２０ｃに対して垂直な方向から見て、略正方形形状を有するように、インバータ装置１００を構成する。これにより、複数の孔部２０ｄのそれぞれと操作部２０の中心との距離をさらに容易に略一定にすることができる。
【００６７】
また、第１実施形態では、上記のように、操作部２０は、インバータ装置本体部１００ａを操作する押しボタン２０ａを含む。ここで、一般的に、押しボタン２０ａの表面には、操作内容を表す文字などが記載されている。そして、操作部２０の取り付け方向が固定されている場合、インバータ装置本体部１００ａの配置方向の変更に伴って、押しボタン２０ａの表面に記載された文字がユーザにとって読みにくい方向に向く可能性がある。そこで、操作部２０を、インバータ装置本体部１００ａの配置方向に応じて、筐体１０に対する取り付け方向を所定の角度回動させて取り付け可能に構成することによって、押しボタン２０ａに記載される文字をユーザが読みやすいように、操作部２０を取り付けることができる。
【００６８】
また、第１実施形態では、上記のように、筐体１０の開口部１１ａの周縁部１１ｂ近傍に、筐体１０の外側に突出する複数のボス部１６を設ける。そして、ガスケット１５に、ボス部１６が貫通する孔部１５ａを設ける。これにより、ガスケット１５の移動を、ガスケット１５の孔部１５ａを貫通するボス部１６により規制しながら、操作部２０と筐体１０との間から異物が筐体１０内に侵入するのをガスケット１５により抑制することができる。
【００６９】
また、第１実施形態では、上記のように、複数のボス部１６に、複数の孔部２０ｄを介してねじ部材３０が締結される孔部１６ａを設ける。これにより、ガスケット１５の移動を規制するためのボス部１６が、孔部１６ａを兼ねているので、インバータ装置１００の構成を簡略化することができる。
【００７０】
また、第１実施形態では、上記のように、開口部１１ａの周縁部１１ｂに、第１リブ部１７を設けて、第１リブ部１７に枠状のガスケット１５が位置決めされるようにガスケット１５を構成する。これにより、ガスケット１５の、開口部１１ａの中心側への移動を、容易に、第１リブ部１７により抑制することができる。
【００７１】
また、第１実施形態では、上記のように、第１リブ部１７を、開口部１１ａの周縁部１１ｂに沿って開口部１１ａの開口端面に周状に突出するように設ける。これにより、第１リブ部１７が開口部１１ａの周縁部１１ｂに部分的に設けられる場合と異なり、ガスケット１５の、開口部１１ａの中心側への移動を、より確実に抑制することができる。その結果、操作部２０と筐体１０との間から異物が筐体１０内に侵入するのをより確実に抑制することができる。
【００７２】
また、第１実施形態では、上記のように、開口部１１ａの内側面１１３に、開口部１１ａの中央部側に突出する第２リブ部１８を設ける。これにより、ユーザが操作部２０を操作（押下）した場合に、操作部２０が筐体１０の内部に脱落するのを第２リブ部１８により防止することができる。また、操作部２０が第２リブ部１８に支持されるので、安定した状態で、操作部２０を操作することができる。すなわち、操作部２０の操作性（操作感）を向上させることができる。
【００７３】
また、第１実施形態では、上記のように、操作部２０と、インバータ装置本体部１００ａとを、操作部２０の回動に伴って回動する配線１９により接続する。これにより、操作部２０とインバータ装置本体部１００ａとの接続を維持した状態で、操作部２０の筐体１０に対する取り付け方向を所定の角度回動させることができる。
【００７４】
また、第１実施形態では、上記のように、操作部２０は、操作部本体部２１と、操作部本体部２１を取り囲むように設けられ、操作部本体部２１を支持する枠状の支持部２２とを含む。これにより、操作部本体部２１が、所定の角度回動させて取り付け可能な形状でない場合（略長方形形状など）でも、枠状の支持部２２を所定の角度回動させて取り付け可能な形状（略正方形形状など）にすることにより、操作部２０を所定の角度回動させて取り付けることができる。
【００７５】
また、第１実施形態では、上記のように、枠状の支持部２２は、鋼板により構成されている。これにより、枠状の支持部２２は、鋼板により構成されているので、操作部２０が樹脂などにより形成されている場合と比べて、操作部２０の機械的強度および耐環境性を向上させることができる。なお、耐環境性とは、耐候性、耐薬品性および蒸気減菌への耐性などである。また、枠状の支持部２２（切り起こし部２２ｃ）に孔部２２ａを設け、操作部本体部２１に、爪部２１ａを設けることによって、容易に、操作部本体部２１を枠状の支持部２２に取り付けることができる。
【００７６】
また、第１実施形態では、上記のように、操作面２０ｃ側に複数の冷却フィン１３を設けるように、インバータ装置１００を構成する。これにより、インバータ装置１００は、操作面２０ｃが床または壁などに近接して対向するように配置されることがないので、冷却フィン１３からの冷却風の移動が床または壁などにより規制されるのを抑制することができる。これにより、冷却フィン１３による冷却効率が低下するのを抑制することができる。
【００７７】
［第２実施形態］
次に、図１０〜図２４を参照して、第２実施形態によるインバータ装置２００の構成について説明する。この第２実施形態におけるインバータ装置２００は、操作部２０が正方形形状を有する第１実施形態とは異なり、操作部１２０が円筒形状を有している。なお、図中において上記第１実施形態と同様の構成の部分には、同一の符号を付している。
【００７８】
インバータ装置２００（インバータ装置本体部２００ａ）は、複数の異なる配置方向に配置可能に構成されている。たとえば、インバータ装置２００は、図１０に示すように、操作部１２０が上方側（Ｚ１方向側）を向いた状態で配置（水平置き配置）される。また、インバータ装置２００は、図１１に示すように、操作部１２０が左方側（Ｘ１方向側）に位置するように配置（横置き配置）される。また、インバータ装置２００は、図１２に示すように、操作部１２０が下方側（Ｚ２方向側）に位置するように配置（縦置き配置）される。なお、インバータ装置２００は、壁に掛けられた状態で、横置き配置および縦置き配置することも可能である。なお、以下の説明では、インバータ装置２００が水平置き配置されている場合について説明する。
【００７９】
第２実施形態では、図１０〜図１３に示すように、操作部１２０は、操作面２０ｃ（図１３参照）に対して垂直な方向から見て、略円形状を有している。また、図１０および図１３に示すように、操作部１２０は、略円筒形状を有している。筐体１０には、略円筒形状の操作部１２０が嵌め込まれ、平面視において円形状の凹部４０（図１３参照）が設けられている。また、図１０に示すように、操作部１２０が凹部４０に嵌め込まれた状態で、操作部１２０のＸ１方向側およびＸ２方向側は露出する。これにより、ユーザは操作部１２０を容易に把持可能になる。なお、操作部１２０の外周壁１２０ａ（図１３参照）には、周方向に配列されている凹凸が設けられている。
【００８０】
図１３に示すように、インバータ装置２００は、操作部１２０と凹部４０との間に配置される略円環形状の中間部材５０が備えられている。中間部材５０の詳細な構成については後述する。
【００８１】
図１４に示すように、操作部１２０には、キーパッド基板１２１ａと基板１２１ｂとを含む操作部本体部１２１が設けられている。キーパッド基板１２１ａおよび基板１２１ｂは、キーパッドモールド１２２内に収容されている。キーパッド基板１２１ａのＺ２方向側の表面には、コネクタ（図示せず）が設けられている。また、基板１２１ｂのＺ１方向側の表面には、コネクタ１２１ｃが設けられている。キーパッド基板１２１ａのコネクタ（図示せず）と、基板１２１ｂのコネクタ１２１ｃとは接続されている。キーパッドモールド１２２の押しボタン２０ａが押されることによって、キーパッド基板１２１ａのキー１２１ｄが押され、基板１２１ｂを介してインバータ装置本体部２００ａ（図１０参照）に信号が伝達される。また、後述するように、操作部１２０には、円環状のＯリング１２３が設けられている。Ｏリング１２３の詳細については後述する。なお、図１４では、操作部１２０に設けられている配線は、簡単化のため、図示を省略している。なお、Ｏリング１２３は、特許請求の範囲の「シール部材」の一例である。
【００８２】
図１５に示すように、略円筒形状の操作部１２０（キーパッドモールド１２２）には、複数（第２実施形態では、４つ）の略円形状に配置されている突起部１２４が設けられている。具体的には、４つの突起部１２４は、略円筒形状の操作部１２０の外周縁近傍に配置されている。
【００８３】
詳細には、突起部１２４は、操作部１２０の凹部４０側（図１０ではＺ２方向側）の底部１２０ｂの近傍の内周壁１２０ｃに設けられており、径方向内側に突出している。また、４つの突起部１２４は、略等角度間隔に配置されている。なお、突起部１２４の断面は、半円形状（図１７参照）である。なお、突起部１２４、および、底部１２０ｂは、それぞれ、特許請求の範囲の「取付部」および「操作部の凹部側の外周縁近傍」の一例である。
【００８４】
操作部１２０には、ロック部１２５が設けられている。具体的には、ロック部１２５は、操作部１２０の内周壁１２０ｃに取り付けられている。ロック部１２５は、内周壁１２０ｃから径方向内側に延びる接続部１２５ａと、接続部１２５ａに接続され、周方向に延びる接続部１２５ｂとを含む。また、ロック部１２５は、接続部１２５ｂの接続部１２５ａと接続している側とは反対側の端部に設けられているロック端子１２５ｃを含む。ロック端子１２５ｃは凹部４０側（図１０ではＺ２方向側）に突出している。なお、ロック部１２５は、特許請求の範囲の「第４係合部」の一例である。
【００８５】
ここで、第２実施形態では、図１６に示すように、円形状の凹部４０の底面部４１には、周方向に沿って、突起部１２４（図１５参照）が取り付けられる複数（第２実施形態では、４つ）の収納部４２が設けられている。具体的には、収納部４２は、凹部４０の底面部４１の表面４１ａから操作部側（Ｚ１方向側）に突出している。なお、４つの収納部４２は、平面視において、略等角度間隔で配置されている。なお、図１６では、簡単化のため、凹部４０の底面部４１のみを図示しており、実際は、凹部４０の底面部４１は筐体１０と一体的に設けられている。なお、収納部４２は、特許請求の範囲の「被取付部」の一例である。
【００８６】
また、凹部の中央部には開口部４３が設けられている。開口部４３は、平面視において、略円形形状を有している。なお、開口部４３は、特許請求の範囲の「第２開口部」の一例である。
【００８７】
図１７に示すように、収納部４２は、周方向の一方側（図１７では右側）に開口４２ａが設けられており、かつ、周方向の他方側（図１７では左側）に壁部４２ｂが設けられている。収納部４２は、開口４２ａから壁部４２ｂに向かって狭くなるように形成されている。すなわち、収納部４２は、開口４２ａから壁部４２ｂに向かって凹部４０の底面部４１の表面４１ａに近づく方向（Ｚ２方向側）に傾斜する傾斜面４２ｃを含む。また、収納部４２は、傾斜面４２ｃと連続するとともに傾斜面４２ｃよりも底面部４１の表面４１ａ側（Ｚ２方向側）に配置される平坦面４２ｄを含む。
【００８８】
また、図１７および図１８に示すように、収納部４２には、径方向内側に、突起部１２４の径方向内側への移動を規制する壁部４２ｅが設けられている。なお、壁部４２ｅは、平面視において、操作部１２０の曲率と略同等の曲率を有している。
【００８９】
開口４２ａの表面４１ａからのＺ方向の高さは高さｈ１（図１７参照）であるのに対し、表面４１ａからの平坦面４２ｄまでのＺ方向の高さは高さｈ１よりも小さい高さｈ２（図１７参照）である。なお、突起部１２４を開口４２ａから挿入させる際において、操作部１２０をＺ２方向側に押圧せずに周方向に回動させる（周方向に力を加える）だけで、突起部１２４は開口４２ａから挿入される。
【００９０】
また、第２実施形態では、略円筒形状の操作部１２０を、操作面２０ｃ（図１３参照）に対して直交する方向（図１７および図１８ではＺ方向）に延びる中心線α（図１３参照）を中心に回動させることにより、突起部１２４が収納部４２の開口４２ａから挿入される。そして、突起部１２４を傾斜面４２ｃに沿って壁部４２ｂ側に移動させ、壁部４２ｂ、平坦面４２ｄ、および、壁部４２ｅに当接させる。これにより、収納部４２と突起部１２４とが係合する。具体的には、突起部１２４を開口４２ａから挿入させる場合、突起部１２４は傾斜面４２ｃに当接しながら挿入される。これにより、突起部１２４は、傾斜面４２ｃによりＺ２方向側に案内されることによって、Ｚ２方向側に移動し（沈み）ながら回動する。
【００９１】
また、第２実施形態では、図１８に示すように、略円筒形状の操作部１２０の凹部４０側（図１８ではＺ２方向側）の底部１２０ｂには、周方向に沿って延びる周状の溝部１２０ｄ（図１８参照）が設けられている。また、インバータ装置２００は、収納部４２と突起部１２４とが係合した状態で、操作部１２０の溝部１２０ｄと凹部４０との間に配置される円環状（図１４参照）のＯリング１２３を備えている。なお、Ｏリング１２３の断面は、略円形状である。また、溝部１２０ｄの断面は、略矩形形状である。Ｏリング１２３は、Ｏリング１２３の径方向内側（図１８では右側）、径方向外側（図１８では左側）、および、上方側（図１８ではＺ１方向側）において、溝部１２０ｄと密着している。
【００９２】
具体的には、Ｏリング１２３は約０．２ｍｍ（ミリメートル）の圧縮代を有している。Ｏリング１２３は、突起部１２４が傾斜面４２ｃ（図１７参照）によりＺ２方向側に移動し（沈み）ながら回動する際に、溝部１２０ｄおよび凹部４０の表面４１ａにより圧縮される。なお、収納部４２と突起部１２４とが係合した状態において、突起部１２４と凹部４０の表面４１ａとの間隔は、Ｏリング１２３の圧縮代に対して大きい。たとえば、突起部１２４と凹部４０の表面４１ａとの間隔は、約２ｍｍである。
【００９３】
図１９に示すように、中間部材５０は、円環形状の上部部材５１と、円環形状の下部部材５２とにより構成されている。上部部材５１の径方向の大きさは、下部部材５２の径方向の大きさよりも大きい。
【００９４】
また、第２実施形態では、中間部材５０（上部部材５１）の表面５１ａ上には、平面視において、突起部１２４（図１５参照）が互いになす角度と略等しい角度間隔で配置される複数（第２実施形態では、２つ）の窪み部５３が設けられている。図２０に示すように、操作部１２０のロック部１２５は、収納部４２と突起部１２４とが係合した状態で、２つの窪み部５３（図１９参照）のうちのいずれかに係合する。なお、窪み部５３は、特許請求の範囲の「第３係合部」の一例である。
【００９５】
具体的には、図２１に示すように、窪み部５３は、断面が略Ｕ字状を有している。詳細には、窪み部５３のＺ２方向側の先端部５３ａは球面形状を有している。また、窪み部５３の先端部５３ａよりもＺ１方向側には傾斜面５３ｂが設けられている。また、ロック部１２５のロック端子１２５ｃも、窪み部５３と同様に略Ｕ字形状を有している。すなわち、ロック端子１２５ｃのＺ２方向側の先端部１２５ｄは球面形状を有しているとともに、先端部１２５ｄよりもＺ１方向側には傾斜面１２５ｅを有している。ロック部１２５のロック端子１２５ｃと窪み部５３とが係合した状態において、傾斜面５３ｂと傾斜面１２５ｅとの間、および、先端部５３ａと傾斜面５３ｂとが接続されている部分の近傍と、先端部１２５ｄと傾斜面１２５ｅとが接続されている部分の近傍との間には隙間が設けられている。
【００９６】
これにより、ロック部１２５のロック端子１２５ｃと窪み部５３とが係合した状態において、操作部１２０を一定以上の力で回動させることによって、ロック端子１２５ｃと窪み部５３との係合は解除される。この場合、操作部１２０を回動させる方向は、突起部１２４に対して壁部４２ｂ（図１７参照）側とは反対側の方向である。なお、ロック端子１２５ｃと窪み部５３とが係合していない状態では、表面５１ａからロック端子１２５ｃへの反発力によって、ロック部１２５はＺ１方向側に撓んだ状態になる。
【００９７】
図１９および図２２に示すように、中間部材５０の下部部材５２の外周上には、４つの保持部５４が設けられている。保持部５４は２つの保持部分５４ａを有している。保持部分５４ａは、中間部材５０の下部部材５２の外周上において、径方向外側に突出するとともにＺ方向に延びるように構成されている。中間部材５０は、２つの保持部分５４ａによって、各収納部４２を周方向から挟み込むように配置される。なお、保持部５４は、略等角度間隔で配置されている。
【００９８】
図２２に示すように、中間部材５０の下部部材５２には、切欠き状の切欠き部５５が設けられている。切欠き部５５は、Ｚ２方向側が開放されており、４つの収納部４２のうちの１つに設けられている突出部４４（図１６参照）と係合可能に構成されている。これにより、中間部材５０を配置（製造）する際の位置決めを容易にすることが可能である。
【００９９】
また、第２実施形態では、図２３に示すように、中間部材５０（図２２参照）は、凹部４０の底面部４１の裏面４１ｂ側において、開口部４３の周縁部４３ａに係合するフック部５６を有する。フック部５６は、円環形状の下部部材５２の内周側に取り付けられている。なお、周縁部４３ａ、および、フック部５６は、それぞれ、「第２開口部の周縁部」および特許請求の範囲の「第５係合部」の一例である。
【０１００】
具体的には、フック部５６には、開口部４３の周縁部４３ａとフック部５６とが係合した状態で、周縁部４３ａと対向するように設けられる平坦面５６ａが設けられている。これにより、中間部材５０のＺ１方向側の移動が規制される。
【０１０１】
フック部５６には、平坦面５６ａのＺ２方向側において、傾斜面５６ｂが設けられている。傾斜面５６ｂは、Ｚ方向（中間部材５０の取り付け方法）に対して、交差する方向に傾斜している。中間部材５０を凹部４０に配置する際には、フック部５６の傾斜面５６ｂを開口部４３に当接させることによって、フック部５６を径方向内側に撓ませる。これにより、中間部材５０はスムーズに凹部４０に配置することが可能である。
【０１０２】
また、第２実施形態では、図２４に示すように、略円環形状の中間部材５０には、平面視において、複数（第２実施形態では、４つ）の切欠き５７が設けられている。具体的には、切欠き５７は、中間部材５０の上部部材５１の外周縁上に設けられている。なお、４つの切欠き５７は略等角度間隔で配置されている。すなわち、４つの突起部１２４が互いになす角度と、４つの切欠き５７が互いになす角度は略等しい。
【０１０３】
また、切欠き５７により、凹部４０の開口部４３の周縁部４３ａ（図２３参照）に中間部材５０のフック部５６（図２３参照）が係合した状態で、操作部１２０の４つの突起部１２４を中間部材５０の表面５１ａ側から中間部材５０の裏面５１ｂ（図２２参照）側に通過可能になる。具体的には、操作部１２０を凹部４０に配置する際には、平面視において、操作部１２０の突起部１２４と中間部材５０の切欠き５７とがオーバーラップする状態で行う。そして、操作部１２０が凹部４０に配置された後に、操作部１２０を回動させる。なお、操作部１２０が凹部４０の表面４１ａ上に配置された状態では、突起部１２４と切欠き５７とは互いに干渉しない高さ位置関係にある。
【０１０４】
（操作部の組み立て方法および取付方法）
次に、図１３、図１４、および、図２４を参照して、操作部１２０の組み立て方法および取付方法について説明する。
【０１０５】
まず、図１３に示すように、中間部材５０が凹部４０の底面部４１に配置される。この時、中間部材５０の切欠き部５５（図２２参照）と収納部４２の突出部４４（図１６参照）とが係合するように、中間部材５０の向きを調節する。
【０１０６】
次に、図１４に示すように、キーパッド基板１２１ａと基板１２１ｂとが接続された操作部本体部１２１をキーパッドモールド１２２内に取り付ける。そして、操作部１２０（キーパッドモールド１２２）の溝部１２０ｄにＯリング１２３を取り付ける。これにより、操作部１２０が形成される。
【０１０７】
次に、操作部１２０は、インバータ装置本体部２００ａの配置方向に応じて、筐体１０に対する取り付け方向を、Ｃ方向（図１３参照）に所定の角度回動させて取り付けられる。この時、図２４に示すように、操作部１２０の突起部１２４が中間部材５０の切欠き５７にオーバーラップした状態で、操作部１２０をＺ２方向側の凹部４０の底面部４１まで移動させる。操作部１２０が底面部４１に配置された後、ロック部１２５のロック端子１２５ｃと窪み部５３とが係合するまで、操作部１２０を時計回りに回動させる。これにより、突起部１２４と収納部４２とが係合する。
【０１０８】
なお、突起部１２４と収納部４２とが係合された状態で、操作部１２０を反時計回りに約１０度から約２０度回動させることにより、突起部１２４と収納部４２との係合は解除される。これにより、操作部１２０をＺ１方向側に持ち上げることが可能になる。
【０１０９】
第２実施形態のその他の構成は、上記第１実施形態と同様である。
【０１１０】
（第２実施形態の効果）
第２実施形態では、以下のような効果を得ることができる。
【０１１１】
第２実施形態では、上記のように、操作部１２０は、略円筒形状を有し、筐体１０には、略円筒形状の操作部１２０が嵌め込まれ、操作部１２０の操作面２０ｃに対して垂直な方向から見て円形状の凹部４０が設けられている。そして、略円筒形状の操作部１２０には、複数の突起部１２４が設けられており、略円形状の凹部４０には、周方向に沿って、突起部１２４が取り付けられる複数の収納部４２が設けられるように、インバータ装置２００を構成する。これにより、周方向に沿って、複数の収納部４２が設けられていることによって、突起部１２４を収納部４２から取り外すとともに略円筒形状の操作部１２０を回動させた場合、操作部１２０の突起部１２４は、回動前とは異なる収納部４２に取り付けられる。これにより、インバータ装置２００の配置方向が変更された場合でも、操作部１２０の向きをユーザの操作に適した向きに容易に変更することができる。また、操作部１２０が略円筒形状を有していることによって、操作部１２０が矩形形状を有している場合よりも、ユーザは容易に操作部１２０を回動させることができる。
【０１１２】
また、第２実施形態では、上記のように、収納部４２は、操作部１２０側に突出し、周方向の一方側に開口４２ａが設けられ、かつ、周方向の他方側に壁部４２ｂが設けられている。そして、略円筒形状の操作部１２０を、操作面２０ｃに対して垂直な方向に延びる中心線αを軸として、一方向に回動させることにより、突起部１２４を収納部４２の開口４２ａから挿入し、突起部１２４を壁部４２ｂに当接させることで、収納部４２と突起部１２４とが係合するように、インバータ装置２００を構成する。これにより、収納部４２の周方向の一方側に開口４２ａが設けられていることによって、収納部４２の上方に開口が設けられている場合に比べて、突起部１２４が収納部４２の上方へ抜けるのを抑制することができる。また、壁部４２ｂが設けられていることによって、操作部１２０の周方向の壁部４２ｂ側への移動を規制することができる。
【０１１３】
また、第２実施形態では、上記のように、収納部４２は、開口４２ａから壁部４２ｂに向かって狭くなるように形成されている。そして、突起部１２４を収納部４２の開口４２ａから挿入し、壁部４２ｂ側に移動させることにより、突起部１２４を壁部４２ｂに当接させて、収納部４２と突起部１２４とを係合するように、インバータ装置２００を構成する。これにより、収納部４２が開口４２ａから壁部４２ｂに向かって狭くなるように形成されていることによって、開口４２ａから突起部１２４を容易に挿入させることができる。
【０１１４】
また、第２実施形態では、上記のように、インバータ装置２００は、操作部１２０と凹部４０との間に配置される略円環形状の中間部材５０を備える。そして、中間部材５０の表面５１ａ上に、操作面２０ｃに対して垂直な方向から見て、複数の突起部１２４に対応する位置に配置される複数の窪み部５３を設ける。操作部１２０に、収納部４２と突起部１２４とが係合した状態で、複数の窪み部５３のうちのいずれかに係合するロック部１２５を設ける。これにより、収納部４２と突起部１２４とが係合した状態で、ロック部１２５と複数の窪み部５３のうちのいずれかとが係合していることによって、インバータ装置２００の運転中の振動、または、ユーザの接触等により、操作部１２０が回転するのを抑制することができる。
【０１１５】
また、第２実施形態では、上記のように、凹部４０の中央部に開口部４３を設ける。そして、中間部材５０が、凹部４０の底面部４１の裏面４１ｂ側において、開口部４３の周縁部４３ａに係合するフック部５６を有するように、インバータ装置２００を構成する。これにより、フック部５６により、中間部材５０を凹部４０の底面部４１に容易に固定することができる。
【０１１６】
また、第２実施形態では、上記のように、凹部４０の開口部４３の周縁部４３ａに中間部材５０のフック部５６が係合した状態で、操作部１２０の複数の突起部１２４を中間部材５０の表面５１ａ側から裏面５１ｂ側に通過可能にするように、略円環形状の中間部材５０に、操作面２０ｃに対して垂直な方向から見て、複数の突起部１２４に対応する位置に配置される複数の切欠き５７を設ける。これにより、操作部１２０を配置する際に、操作部１２０の複数の突起部１２４を通過させるための切欠き５７が設けられていることによって、操作部１２０の突起部１２４と中間部材５０とが干渉しないように操作部１２０を大きくする必要がない。その結果、インバータ装置２００が大型化するのを抑制することができる。また、切欠き５７の配置位置を指標に操作部１２０を配置させることができるので、操作部１２０の配置作業を簡略化させることができる。
【０１１７】
また、第２実施形態では、上記のように、略円筒形状の操作部１２０の凹部４０側の底部１２０ｂに、周方向に沿って延びる周状の溝部１２０ｄを設ける。そして、収納部４２と突起部１２４とが係合した状態で、操作部１２０の溝部１２０ｄと凹部４０との間に配置されるＯリング１２３を備えるように、インバータ装置２００を構成する。これにより、操作部１２０の溝部１２０ｄと凹部４０との間にＯリング１２３が配置されていることによって、操作部１２０に液体が侵入するのを効果的に抑制することができる。
【０１１８】
なお、第２実施形態のその他の効果は、上記第１実施形態と同様である。
【０１１９】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１２０】
たとえば、上記第１および第２実施形態では、インバータ装置（インバータ装置本体部）が、水平置き配置、横置き配置、および、縦置き配置の３つの配置方向に配置可能である例について示したが、本発明はこれに限られない。たとえば、インバータ装置（インバータ装置本体部）が、２つまたは４つ以上の配置方向に配置可能であってもよい。
【０１２１】
また、上記第１実施形態では、操作部が略正方形形状を有する例について示したが、本発明はこれに限られない。たとえば、４個の操作部の孔部が略正方形形状に配置されていれば、操作部の形状が略正方形形状以外の形状であってもよい。また、操作部が正６角形形状などの正多角形形状であって、かつ、操作部の孔部が正６角形形状などの正多角形形状に配置されていてもよい。
【０１２２】
また、上記第１実施形態では、操作部の孔部を介して筐体に締結されるねじ部材により、操作部を筐体に取り付ける例について示したが、本発明はこれに限られない。たとえば、操作部に係合部を設けて、筐体に操作部を係合させてもよい。
【０１２３】
また、上記第１実施形態では、筐体に、ガスケットを位置決めするためのボス部と第１リブ部とが設けられている例について示したが、本発明はこれに限られない。たとえば、筐体に、ガスケットを位置決めするためのボス部または第１リブ部の一方のみが設けられていてもよい。
【０１２４】
また、上記第１実施形態では、第１リブ部は、開口部の周縁部に沿って周状に（全周に渡って）設けられている例について示したが、本発明はこれに限られない。たとえば、第１リブ部が、開口部の周縁部に沿って部分的に設けられていてもよい。
【０１２５】
また、上記第１実施形態では、ボス部に、取付部を介してねじ部材が締結される孔部が設けられている例について示したが、本発明はこれに限られない。たとえば、ボス部と、ねじ部材が締結される孔部とを別個に設けてもよい。
【０１２６】
また、上記第１実施形態では、第２リブ部が、開口部の円弧部（辺部同士を接続する円弧部）に対応する領域に設けられている例について示したが、本発明はこれに限られない。たとえば、開口部の辺部に対応する領域に設けてもよい。
【０１２７】
また、上記第１実施形態では、ボス部および第１リブ部が、筐体に設けられる凸部に形成されている例について示したが、本発明はこれに限られない。たとえば、筐体に凸部を設けずに、筐体に直接、ボス部および第１リブ部を形成してもよい。
【０１２８】
また、上記第１実施形態では、操作部本体部に爪部が設けられ、支持部の切り起こし部に孔部が設けられている例について示したが、本発明はこれに限られない。たとえば、操作部本体部に孔部を設けるとともに、支持部の切り起こし部に爪部を設けてもよい。
【０１２９】
また、上記第２実施形態では、中間部材の上部部材の表面に、窪み部が２つ設けられている例について示したが、本発明はこれに限られない。たとえば、窪み部が３つまたは４つ設けられていてもよい。
【０１３０】
また、上記第２実施形態では、操作部の底部に設けられている溝部の断面が略矩形形状を有している例について示したが、本発明はこれに限られない。たとえば、溝部の断面が台形形状を有していてもよい。
【０１３１】
また、上記第２実施形態では、操作部の突起部、収納部、中間部材の切欠き、中間部材の保持部、および、中間部材のフック部がそれぞれ、４つずつ設けられている例について示したが、本発明はこれに限られない。たとえば、これらが４つ以外の複数個ずつ設けられていてもよい。
【０１３２】
また、上記第２実施形態では、ロック部のロック端子、および、中間部材の窪み部が、球面形状の先端部と傾斜面とにより構成されている例について示したが、本発明はこれに限られない。たとえば、ロック端子および窪み部が、全体的に球面形状を有していてもよい。
【０１３３】
また、上記第２実施形態では、凹部の底面部に収納部が設けられ、操作部に突起部が設けられている例について示したが、本発明はこれに限られない。たとえば、凹部の底面部に突起部が設けられ、操作部に収納部が設けられていてもよい。
【０１３４】
また、上記第２実施形態では、突起部の断面が半円形状を有している例について示したが、本発明はこれに限られない。たとえば、突起部の断面が円形形状を有していてもよい。
【０１３５】
また、上記第２実施形態では、操作部にロック部が１つ設けられている例について示したが、本発明はこれに限られない。たとえば、操作部にロック部が複数設けられていてもよい。
【０１３６】
また、上記第１および第２実施形態では、複数の冷却フィンが、長辺および短辺に対して、略４５度の角度で交差するように形成されている例について示したが、本発明はこれに限られない。たとえば、長辺および短辺に対して、略４５度の角度以外の角度で交差するように形成してもよい。
【符号の説明】
【０１３７】
１０  筐体
１０ａ  長辺
１０ｂ  短辺
１１ａ  開口部（第１開口部）
１１ｂ  周縁部（第１開口部の外周縁近傍）
１３  冷却フィン
１５  ガスケット
１５ａ  孔部
１５ｂ  内周面
１６  ボス部
１６ａ  孔部（締結孔部）
１７  第１リブ部
１８  第２リブ部
１９  配線
２０、１２０  操作部
２０ａ  押しボタン
２０ｃ  操作面
２０ｄ  孔部（取付部）
２１  操作部本体部
２１ａ  爪部（第１係合部）
２２  支持部
２２ａ  （第２係合部、切り起こし部側孔部）
２２ｂ  表面
２２ｃ  切り起こし部
３０  ねじ部材（締結部材）
４０  凹部
４１  底面部
４１ａ  表面
４１ｂ  裏面
４２  収納部（被取付部）
４２ａ  開口
４２ｂ  壁部
４２ｃ  傾斜面
４２ｄ  平坦面
４３  開口部（第２開口部）
４３ａ  周縁部（第２開口部の周縁部）
５０  中間部材
５１ａ  表面
５１ｂ  裏面
５３  窪み部（第３係合部）
５６  フック部（第５係合部）
５７  切欠き
１００、２００  インバータ装置
１００ａ、２００ａ  インバータ装置本体部
１１３  内側面
１２０ｂ  底部（操作部の凹部側の外周縁近傍）
１２０ｄ  溝部
１２３  Ｏリング（シール部材）
１２４  突起部（取付部）
１２５  ロック部（第４係合部）
α  中心線
【図１】
0006786983.tif 000002
【図２】
0006786983.tif 000003
【図３】
0006786983.tif 000004
【図４】
0006786983.tif 000005
【図５】
0006786983.tif 000006
【図６】
0006786983.tif 000007
【図７】
0006786983.tif 000008
【図８】
0006786983.tif 000009
【図９】
0006786983.tif 000010
【図１０】
0006786983.tif 000011
【図１１】
0006786983.tif 000012
【図１２】
0006786983.tif 000013
【図１３】
0006786983.tif 000014
【図１４】
0006786983.tif 000015
【図１５】
0006786983.tif 000016
【図１６】
0006786983.tif 000017
【図１７】
0006786983.tif 000018
【図１８】
0006786983.tif 000019
【図１９】
0006786983.tif 000020
【図２０】
0006786983.tif 000021
【図２１】
0006786983.tif 000022
【図２２】
0006786983.tif 000023
【図２３】
0006786983.tif 000024
【図２４】
0006786983.tif 000025